(57)【要約】【課題】本発明の目的は、回路遮断器の容量が大きくなっても帯状母線との接続を小さな力で簡単に行える回路遮断器の導電端子装置を提供することにある。【解決手段】略矩形状に形成され、長手方向一辺の厚み面が対向配置されている２つの接触板１ａ、１ｂの一端側に帯状母線をコイルバネ４の引張り圧によって挟持し、両接触板１ａ、１ｂの他端側は回路遮断器８の端子金具７に電気的に接続される。両接触板の対向する長手方向一辺は、一端側端部から外方に突出した曲面１１、第１垂直面１２、漸次拡がるテーパー面１３、第２垂直面１４が順次形成されている。拡開板２は両接触板１ａ、１ｂの第２垂直面１４間（保持位置）に係止保持されている。拡開板２を両接触板１ａ、１ｂの第１垂直面間（拡開位置）に移動させて、両接触板１ａ、１ｂの曲面１１の対向間隔を帯状母線の厚みより大きくする。【選択図】図１
2010003420.tif 000002
【特許請求の範囲】
【請求項１】
略矩形状に形成され、長手方向一辺の厚み面が対向配置されている２つの接触板の一端側に帯状母線をバネ圧によって挟持し、前記両接触板の他端側は回路遮断器に固定された端子金具に電気的に接続される回路遮断器の導電端子装置であって、前記両接触板の対向する長手方向一辺は、一端側端部から外方に突出した曲面、第１垂直面、漸次拡がるテーパー面、第２垂直面が順次形成されており、前記両接触板の前記第２垂直面間に係止保持されている拡開板を備えて成り、前記両接触板で前記帯状母線を挟持する場合には、前記拡開板を前記両接触板の前記第１垂直面間に移動させて圧接係止して前記両接触板の曲面の対向間隔が前記帯状母線の厚みより大きくし、前記第１垂直面間に圧接係止された前記拡開板は前記帯状母線の当接により押圧されて前記第２垂直面間に移動して係止保持されることを特徴とする回路遮断器の導電端子装置。
【請求項２】
略矩形状の長手方向一辺の厚み面が対向配置され、一端側に帯状母線をバネ圧によって挟持し、他端側は回路遮断器に固定された端子金具に接触して電気的に接続される２つの接触板を備えた回路遮断器の導電端子装置であって、前記両接触板の対向する長手方向一辺は、一端側端部から外方に突出した曲面、第１垂直面、漸次拡がるテーパー面、第２垂直面が順次形成されると共に、他端側端部には前記端子金具に嵌着される外方に突出した曲面が形成されており、前記両接触板の前記第２垂直面間に係止保持されている拡開板を備えて成り、前記両接触板で前記帯状母線を挟持する場合には、前記拡開板を前記両接触板の前記第１垂直面間に移動させて圧接係止して前記両接触板の曲面の対向間隔が前記帯状母線の厚みより大きくし、前記第１垂直面間に圧接係止された前記拡開板は前記帯状母線の当接により押圧されて前記第２垂直面間に移動して係止保持されることを特徴とする回路遮断器の導電端子装置。
【請求項３】
請求項１、２のいずれか１項において、対向配置される２つの接触板は、複数枚の接触板を並設して構成されていることを特徴とする回路遮断器の導電端子装置。
【請求項４】
請求項１〜３のいずれか１項に記載の導電端子装置を具備することを特徴とする回路遮断器。
【発明の詳細な説明】
【技術分野】
【０００１】
本発明は配電盤に取り付けられる回路遮断器を電源母線としての帯状母線（ブスバー）に接続するための回路遮断器の導電端子装置に関する。
【背景技術】
【０００２】
一般に、負荷に給電する回路遮断器は配電盤に取り付けると電源母線に接続されるようになっている。回路遮断器は背面に設けた二股状のクリップ（接触板）で帯状母線を挟持することにより電源母線に接続される。二股状の接触板は接触板間の対向間隔を狭める方向にバネ圧により付勢されている。通常、接触板間の対向間隔は帯状母線の厚みより小さくなっている。
【０００３】
二股状の接触板で帯状母線を挟持するには、接触板の先端が帯状母線の幅方向端縁に接触し、回路遮断器を更に押圧することによりバネ圧の作用に抗しながら両接触板間の対向間隔を広げながら帯状母線の幅方向に摺動する。両接触板はその電接面が帯状母線の平面部に安定して接触した位置で帯状母線を挟持することになる。回路遮断器は両接触板が帯状母線に安定に接触した状態になると配電盤に取付け固定される。
【０００４】
しかしながら、回路遮断器の容量が大きくなるとバネ圧を大きくする必要があり、帯状母線との接続に大きな力が必要となる。このことを解決するために、帯状母線と接触する位置の異なる２組の接触板を用いて帯状母線との接続時に要する力を低減することが提案されている。このことは、例えば、下記の特許文献１に記載されている。
【０００５】
【特許文献１】特開２００５−１９１９９号公報
【発明の開示】
【発明が解決しようとする課題】
【０００６】
従来技術は、帯状母線が一方組の接触板に接触摺動した後に他方組の接触板に接触摺動するので接触摺動開始時の力は低減できるけれども、２組の接触板と同時に接触摺動する時には依然として大きな力が必要になるという問題点を有する。
【０００７】
本発明の目的は、回路遮断器の容量が大きくなっても帯状母線との接続を小さな力で簡単に行える回路遮断器の導電端子装置を提供することにある。
【課題を解決するための手段】
【０００８】
本発明の特徴とするところは、略矩形状に形成され、長手方向一辺の厚み面が対向配置されている２つの接触板の一端側に帯状母線をバネ圧によって挟持し、両接触板の他端側は回路遮断器に固定された端子金具に電気的に接続される回路遮断器の導電端子装置であって、両接触板の対向する長手方向一辺は、一端側端部から外方に突出した曲面、第１垂直面、漸次拡がるテーパー面、第２垂直面が順次形成されており、両接触板の第２垂直面間に係止保持されている拡開板を備えて成り、両接触板で帯状母線を挟持する場合には、拡開板を両接触板の第１垂直面間に移動させて圧接係止して両接触板の曲面の対向間隔が帯状母線の厚みより大きくし、第１垂直面間に圧接係止された拡開板は帯状母線の当接により押圧されて第２垂直面間に移動して係止保持されるようにしたことにある。
【発明の効果】
【０００９】
本発明は拡開板を対向配置された両接触板の第２垂直面間（保持位置）から第１垂直面間（拡開位置）に移動させて圧接係止することによって両接触板の曲面の対向間隔を帯状母線の厚みより大きくしているので、帯状母線との接続がほとんど力を加えることなく簡単に行えるようになる。拡開板を保持位置から拡開位置への移動は、例えば、磁石を備えた治具を用いて拡開板を吸引し拡開板の幅より広いテーパー面から拡開位置に係止させるだけであり小さな力で行える。
【発明を実施するための最良の形態】
【００１０】
以下、図面を参照して本発明の一実施例を説明する。
【実施例１】
【００１１】
図１、図２に本発明の一実施例を示す。図１（ａ）は本発明の一実施例に係る回路遮断器の導電端子装置の構成図で、図１（ｂ）は図１（ａ）の固定板と固定ボルトを取外した状態の構成図、図２は図１（ａ）の側面図である。
【００１２】
図１、２において、１対の接触板１（１ａ、１ｂ）は略矩形状に形成され、長手方向一辺の厚み面が対向配置されている。１対の接触板１ａ、１ｂは帯状母線を挟持するクリップを構成する。１対の接触板１ａ、１ｂはそれぞれ４枚づつ並設されている。接触板１ａ、１ｂの並設枚数は回路遮断器の電流容量によって決定される。
【００１３】
接触板１は図３に示すように略矩形状に形成され、長手方向一辺の一端側の端部から外方に突出した曲面１１、第１垂直面１２、漸次拡がるテーパー面１３、第２垂直面１４が順次形成されている。接触板１の他端側の端部にも外方に突出した曲面１６が形成されている。接触板１の曲面１１は帯状母線と接触して挟持する電接面となり、曲面１６は回路遮断器１０の端子金具９に接触する電接面となる。
【００１４】
接触板１の長手方向一辺の第２垂直面１４と曲面１６の間には２個の係合溝１５ａ、１５ｂが設けられている。係合溝１５ａ、１５ｂには間隔保持板３ａ、３ｂが係合される。また、接触板１の長手方向他辺の略中央部にＵ字溝１７が設けられている。Ｕ字溝１７にはコイルバネ６を掛着するピン７ａ、７ｂが装着される。
【００１５】
４枚並設された両接触板１ａ、１ｂは、係合溝１５ａ、１５ｂが図５に示すような間隔保持板３ａ、３ｂの溝３１に係合され、両側端の接触板１ａ、１ｂには固定板５ａ、５ｂが当接される。間隔保持板３ａ、３ｂは図５のように略長方形状で、２つの短辺にそれぞれ４個の溝３１が形成されている。また、間隔保持板３ａ、３ｂの２つの長辺にはそれぞれ２個の爪３２が形成され、間隔保持板３ａ、３ｂの中央部に通気口３３が穿設されている。
【００１６】
接触板１ａ、１ｂのＵ字溝１７に装着されているピン７ａ、７ｂにはコイルバネ（引張りバネ）４の両端に形成した半円状のフック４１が掛着されている。コイルバネ４は２枚の接触板１ａ、１ｂの間毎に１個だけ設けている。図示の例では、接触板１ａ、１ｂはそれぞれ４枚であり、２個のコイルバネ４が設けられる。なお、ピン７ａ、７ｂもコイルバネ４の個数だけ分割されている。
【００１７】
接触板１ａ、１ｂの第２垂直面１４の間には拡開板２が係止保持されている。拡開板２は図４に示すように長方形状で、４隅には幅方向に延設した脚２１が形成されている。拡開板２の幅方向の長さＬ１は、拡開板２を接触板１ａ、１ｂの第１垂直面１２間に移動させて圧接係止した場合に曲面１６の対向間隔（最小対向間隔）が帯状母線の厚みより大きくなるようにしてある。また、２つの脚２１の間隔Ｌ２は、４枚の接触板１の間隔Ｌ３（図２に図示）よりも若干大きくしている。
【００１８】
固定板５は図６に示すように矩形形状で、２隅は円形に面取りし、他の２隅は直線状に角取りしてある。円形に面取りした側に取付口５１が穿設されており、また、２個の角穴５２が穿設されている。固定板５ａ、５ｂを両接触板１ａ、１ｂの両側端の接触板１ａ、１ｂに当接すると、間隔保持板３ａ、３ｂのそれぞれ２個の爪３２が２個の角穴５２に貫通する。爪３２は角穴５２を貫通した後にかしめられる。
【００１９】
このように拡開板２、コイルバネ４、間隔保持板３ａ、３ｂ、固定板５ａ、５ｂと一体化された接触板１ａ、１ｂは、他端側の曲面１６で回路遮断器８に固定された端子金具６に接触して嵌着される。接触板１ａ、１ｂを端子金具７に嵌着した状態で固定板５ａ、５ｂの取付口５１と端子金具６のネジ穴６２にボルト６１を螺合して固定する。接触板１ａ、１ｂは端子金具７に固定され電気的に接続される。
【００２０】
次に、帯状母線と連結し電気的に接続することについて説明する。
【００２１】
帯状母線との連結は治具を使用して行われる。治具の一例を図９に示す。治具９はコ字型金具９１の開脚端に円筒の固定ハンドル９２を設け、金具９１の腹部に穿設した２個の案内孔にそれぞれロッド９４を嵌挿自在に配置する。２本のロッド９４の一端は引上げハンドル９３に固定され、他端には絶縁材で形成した磁石保持具９５が取り付けられている。
【００２２】
磁石保持具９５は接触板１ａ、１ｂのテーパー面１３と第２垂直面１４で形成する空間形状と類似形状で、空間形状より若干小さく構成されている。磁石保持具９５には２個の磁石９６が取り付けられている。金具９１には接触板１ａ、１ｂに当接するストッパー９７が設けられている。
【００２３】
さて、拡開板２が第２垂直面間（保持位置）１４に係止保持された状態では、接触板１ａ、１ｂの対向間隔ｇ１は図７（ａ）に示すようにコイルバネ４のバネ圧によって帯状母線１０の厚みｄ（板厚）より小さくなっている。対向間隔ｇ１と板厚ｄの関係は、ｄ＞ｇ１となる。なお、拡開板２は、図８（ａ）に示すように保持位置１４において固定金具５ａ、５ｂの２隅を直線状に角取りした側に当接して係止保持されている。
【００２４】
図７（ａ）の状態において、図１０（ａ）に示すように治具９の磁石保持具９５を接触板１ａ、１ｂのテーパー面１３と第２垂直面１４で形成する空間形状に接触板１ａ、１ｂの側面から挿入する。磁石保持具９５に取り付けた磁石９６は拡開板２を吸着する。磁石９６が拡開板２を吸着した後に図１０（ｂ）に示すように引上げハンドル９３を引上げ、拡開板２を第１垂直面間（拡開位置）１２に移動させる。
【００２５】
拡開板２を拡開位置１２に移動させて更に引上げハンドル９３を引き上げると、球面１１の対向間隔が拡開位置１２の対向間隔よりはるかに小さいので磁石９６による拡開板２の吸着が外れるようになる。したがって、拡開板２は図８（ｂ）に示すように拡開位置１２に圧接係止される。
【００２６】
拡開板２は拡開位置１２に圧接係止されている状態では、接触板１ａ、１ｂの対向間隔ｇ２は図７（ｂ）に示すようにコイルバネ４のバネ圧に抗して帯状母線１０の厚みｄ（板厚）より大きくなる。対向間隔ｇ２と板厚ｄの関係は、ｇ２＞ｄとなる。
【００２７】
拡開板２を拡開位置１２に圧接係止している状態で端子金具７（回路遮断器８）を帯状母線１０の方に移動させて、接触板１ａ、１ｂの対向間隔ｇ２に帯状母線１０を受入れる。帯状母線１０の幅方向端部が拡開位置１２に到達し拡開板２に当接して押圧すると、拡開板２は図７（ｃ）に示すように拡開位置１２での圧接係止が外れて保持位置１４に移動する。
【００２８】
拡開板２が拡開位置１２から外れると、接触板１ａ、１ｂの対向間隔が帯状母線１０の板厚ｄになる。したがって、帯状母線１０は図７（ｃ）に示すように接触板１ａ、１ｂの電接面である球面１１に接触して挟持される。
【００２９】
このようにして回路遮断器を帯状母線に接続するのであるが、本発明は拡開板を対向配置された両接触板の第２垂直面間（保持位置）から第１垂直面間（拡開位置）に移動させて圧接係止することによって両接触板の曲面の対向間隔を帯状母線の厚みより大きくしているので、帯状母線との接続がほとんど力を加えることなく簡単に行えるようになる。拡開板を保持位置から拡開位置への移動は、磁石を備えた治具などを用いて拡開板を吸引し拡開板の幅より広いテーパー面から拡開位置に係止させるだけであり小さな力で行える。
【００３０】
また、帯状母線との接続はほとんど力を加えることなく行えるので、帯状母線の幅方向端部の角取り作業を行う必要がなく、標準の帯状導体を用いることができる。
【００３１】
なお、上述の実施例は接触板を４枚並置した例を示しているが、他の枚数であっても良いことは勿論のことである。
【００３２】
上述の実施例は２枚の接触板毎に１個のコイルバネを配置しているので、各接触板の電接面のバネ圧を均等にすることが容易に行える。
【図面の簡単な説明】
【００３３】
【図１】本発明の一実施例を示す構成図である。
【図２】図１（ａ）javascript:CheckImage(1)の右側面図である。
【図３】本発明の接触板の一例を示す拡大構成図である。
【図４】本発明の拡開板の一例構成図である。
【図５】本発明の間隔保持板の一例構成図である。
【図６】本発明の固定板の一例構成図である。
【図７】本発明の接続操作説明図である。
【図８】本発明の接続操作説明図である。
【図９】本発明に用いる治具の一例構成図である。
【図１０】本発明の接続操作説明図である。
【符号の説明】
【００３４】
１…接触板、１１、１６…球面（電接面）、１２…第１垂直面（拡開位置）、１３…テーパー面、１４…第２垂直面、１５…係合溝、１７…Ｕ字溝、２…拡開板、３…間隔保持板、４…コイルバネ、５…固定板、６…端子金具、７…ピン、８…回路遮断器、９…治具。
【図１】
2010003420.tif 000003
【図２】
2010003420.tif 000004
【図３】
2010003420.tif 000005
【図４】
2010003420.tif 000006
【図５】
2010003420.tif 000007
【図６】
2010003420.tif 000008
【図７】
2010003420.tif 000009
【図８】
2010003420.tif 000010
【図９】
2010003420.tif 000011
【図１０】
2010003420.tif 000012